(57)【要約】【課題】運搬時や組立時の作業負担を軽減可能であるとともに、従来の棚板を並設可能なショーケースを提供する。【解決手段】側面視において略コ字形状をなす偶数個の側枠２を備え、側枠２、２の前柱２１、２１間に、有機ガラス製の板部３７を備えた引戸体３１、３１が配設され、上方開口部が天板５で閉塞され、左側開口部及び右側開口部が有機ガラス製の側板４で閉塞され、最も左の支柱１１に取着された側枠２の左側面、及び、左側開口部を閉塞する側板４の左側面は、正面視において、最も左の支柱１１の前面二分線に一致するか又はそれより右方に配置され、最も右の支柱１１に取着された側枠２の右側面、及び、右側開口部を閉塞する側板４の右側面は、正面視において、最も右の支柱１１の前面二分線に一致するか又はそれより左方に配置されているショーケースＳ１。【選択図】図１
2008149012.tif 000002
【特許請求の範囲】
【請求項１】
左右に間隔を置いて立設された複数の支柱と、隣り合う前記支柱間に配設された後壁部と、前記後壁部の前側に設けられたベース板部と、を備える什器本体であって、棚板を取着するための複数の係合孔を上下方向に並設した列が前記各支柱の前面に該前面を左右に二分する線（以下、「前面二分線」という。）を挟んで２列設けられている什器本体に、取着される組立式ショーケースであって、
前記ベース板部上に立設される前柱と、前記前柱の上端部及び下端部から１つずつ後方に延設されて前記支柱に連結される２つの連結部材と、を備えて側面視において略コ字形状をなす偶数個の側枠を備え、
最も左の前記支柱の右半分と最も右の前記支柱の左半分とに、前記側枠が１つずつ取着されるとともに、最も左の前記支柱と最も右の前記支柱との間に前記支柱が存在する場合は、該支柱には前記側枠が左半分と右半分とにそれぞれ取着され、
隣り合う前記支柱のうちの左の前記支柱の右半分に取着された前記側枠と、該隣り合う前記支柱のうちの右の前記支柱の左半分に取着された前記側枠とは、前記前柱の上端部同士が上レール部材で連結されるともに、前記前柱の下端部同士が下レール部材で連結されて、前記上レール部材と前記下レール部材との間には、有機ガラス製の板部を備えた複数の引戸体からなる引戸セットが配設され、
隣り合う前記支柱間の後壁部と、該隣り合う前記支柱のうちの左の前記支柱の右半分に取着された前記側枠と、該隣り合う前記支柱のうちの右の前記支柱の左半分に取着された前記側枠と、前記側枠同士を連結する上レール部材とで囲まれた上方開口部が、天板で閉塞され、
最も左の前記支柱と該支柱に取着された前記側枠とで囲まれた左側開口部、及び、最も右の前記支柱と該支柱に取着された前記側枠とで囲まれた右側開口部が、それぞれ、有機ガラス製の側板で閉塞され、
最も左の前記支柱に取着された前記側枠の左側面、及び、前記左側開口部を閉塞する前記側板の左側面は、正面視において、最も左の前記支柱の前面二分線に一致するか又は該前面二分線より右方に配置され、
最も右の前記支柱に取着された前記側枠の右側面、及び、前記右側開口部を閉塞する前記側板の右側面は、正面視において、最も右の前記支柱の前面二分線に一致するか又は該前面二分線より左方に配置されている
ことを特徴とするショーケース。
【請求項２】
前記引戸セットの前記各引戸体を閉鎖したときに前記引戸体同士が重なり合う部分の上下方向における中央部で該引戸体同士を互いに係止する係止手段が、設けられていることを特徴とする請求項１記載のショーケース。
【請求項３】
前記引戸セットが備える複数の前記引戸体のうちの最も前側に配置される前記引戸体（以下、「前側引戸体」という。）が閉鎖時に当接する前記前柱の上下方向における中央部に、戸当り具が取着され、
前記戸当り具は、前記前側引戸体の閉鎖時に前記前側引戸体の上下方向における中央部の前面が前記戸当り具に近接するように、構成されている
ことを特徴とする請求項１または２記載のショーケース。
【請求項４】
前記各側板に、該側板の後端縁部から該側板と直角をなして前記ショーケースの内部方向に突出し、前記支柱の前記係合孔に取着される複数の突出片が、設けられ、
前記各突出片が前記係合孔に取着されたときに前記突出片間に複数の前記係合孔が露出するように、前記突出片間に間隔が設けられている
ことを特徴とする請求項１、２または３記載のショーケース。
【請求項５】
前記各前柱の前面に、棚板を取着するための複数の係合孔が上下方向に並設されていることを特徴とする請求項１〜４のいずれかに記載のショーケース。
【請求項６】
前記前柱の使用されない前記係合孔を覆う被覆手段が、取り外し可能に設けられていることを特徴とする請求項５記載のショーケース。
【請求項７】
左右に間隔を置いて立設された複数の支柱と、隣り合う前記支柱間に配設された後壁部と、前記後壁部の前側に設けられたベース板部と、を備える什器本体であって、棚板を取着するための複数の係合孔を上下方向に並設した列が前記各支柱の前面に前面二分線を挟んで２列設けられている什器本体に、取着されるショーケースを組み立てるためのショーケース用キットであって、
前記ベース板部上に立設される前柱と、前記前柱の上端部及び下端部から１つずつ後方に延設されて前記支柱に連結される２つの連結部材とを備えて、側面視において略コ字形状をなし、前記支柱の左半分と右半分とのいずれにも取着可能に構成されるとともに、１つの前記支柱の左半分と右半分とに並設可能に構成された偶数個の側枠と、
隣り合う前記支柱のうちの左の前記支柱の右半分に取着された前記側枠の前記前柱の上端部と、該隣り合う前記支柱のうちの右の前記支柱の左半分に取着された前記側枠の前記前柱の上端部とを連結可能に構成された上レール部材と、
隣り合う前記支柱のうちの左の前記支柱の右半分に取着された前記側枠の前記前柱の下端部と、該隣り合う前記支柱のうちの右の前記支柱の左半分に取着された前記側枠の前記前柱の下端部とを連結可能に構成された下レール部材と、
有機ガラス製の板部を備えた複数の引戸体からなり、対向する前記上レール部材と前記下レール部材との間に配設される引戸セットと、
隣り合う前記支柱間の後壁部と、該隣り合う前記支柱のうちの左の前記支柱の右半分に取着された前記側枠と、該隣り合う前記支柱のうちの右の前記支柱の左半分に取着された前記側枠と、前記側枠同士を連結する上レール部材とで囲まれた上方開口部を閉塞するように、前記側枠に取着可能に構成された天板と、
前記支柱と該支柱に取着された前記側枠とで囲まれた開口部を閉塞するように、前記側枠に取着可能に構成された有機ガラス製の２枚の側板と、
を備え、
前記各側枠は、前記支柱の右半分に取着された場合には、正面視において、左側面が前記支柱の前面二分線に一致するか又は該前面二分線より右方に配置され、前記支柱の左半分に取着された場合には、正面視において、右側面が前記支柱の前面二分線に一致するか又は該前面二分線より左方に配置されるように構成され、
前記各側板は、前記側板が取着された前記側枠が前記支柱の右半分に取着された場合には、正面視において、左側面が前記支柱の前面二分線に一致するか又は該前面二分線より右方に配置され、前記側板が取着された前記側枠が前記支柱の左半分に取着された場合には、正面視において、右側面が前記支柱の前面二分線に一致するか又は該前面二分線より左方に配置されるように構成されている
ことを特徴とするショーケース用キット。
【発明の詳細な説明】
【技術分野】
【０００１】
本発明は、什器本体に取着されるショーケース及びそのキットに関し、特に、アクリル樹脂等の有機ガラスを用いたショーケース及びそのキットに関する。
【背景技術】
【０００２】
一般にゴンドラ什器と呼ばれるスチール製の什器本体に、種々の棚板やショーケースを配設して、商品を陳列することが行われており、什器本体にショーケースを配設する際は、従来、什器本体の支柱やベース板を利用して、通常のガラス（無機ガラス）板を用いた組立式の部材を什器本体に取着することによりショーケースを形成していた。
【０００３】
なお、出願人による先行技術文献調査では、記載すべき先行技術文献は発見されなかったが、従来の棚板を含む什器本体の構造が記載されたものに、出願人により出願された下記特許文献１がある。
【特許文献１】登録実用新案第３０４６０３１号公報（図１、図２）
【発明の開示】
【発明が解決しようとする課題】
【０００４】
しかし、無機ガラス板を用いたショーケースは破損し易く、また、重量があるため、運搬時や組立時の作業負担が大きいという問題があった。さらに、無機ガラス板は強度確保の点から板厚を余り薄くできないため、無機ガラス板により支柱の係合孔が閉塞されて、従来の棚板が並設できなくなるという問題もあった。
【０００５】
この発明は、上述した問題を解決するものであり、運搬時や組立時の作業負担を軽減可能であるとともに、従来の棚板を並設可能なショーケースを提供することを目的とする。
【課題を解決するための手段】
【０００６】
請求項１記載のショーケースは、左右に間隔を置いて立設された複数の支柱と、隣り合う前記支柱間に配設された後壁部と、前記後壁部の前側に設けられたベース板部と、を備える什器本体であって、棚板を取着するための複数の係合孔を上下方向に並設した列が前記各支柱の前面に該前面を左右に二分する線（以下、「前面二分線」という。）を挟んで２列設けられている什器本体に、取着される組立式ショーケースであって、前記ベース板部上に立設される前柱と、前記前柱の上端部及び下端部から１つずつ後方に延設されて前記支柱に連結される２つの連結部材と、を備えて側面視において略コ字形状をなす偶数個の側枠を備え、最も左の前記支柱の右半分と最も右の前記支柱の左半分とに、前記側枠が１つずつ取着されるとともに、最も左の前記支柱と最も右の前記支柱との間に前記支柱が存在する場合は、該支柱には前記側枠が左半分と右半分とにそれぞれ取着され、隣り合う前記支柱のうちの左の前記支柱の右半分に取着された前記側枠と、該隣り合う前記支柱のうちの右の前記支柱の左半分に取着された前記側枠とは、前記前柱の上端部同士が上レール部材で連結されるともに、前記前柱の下端部同士が下レール部材で連結されて、前記上レール部材と前記下レール部材との間には、有機ガラス製の板部を備えた複数の引戸体からなる引戸セットが配設され、隣り合う前記支柱間の後壁部と、該隣り合う前記支柱のうちの左の前記支柱の右半分に取着された前記側枠と、該隣り合う前記支柱のうちの右の前記支柱の左半分に取着された前記側枠と、前記側枠同士を連結する上レール部材とで囲まれた上方開口部が、天板で閉塞され、最も左の前記支柱と該支柱に取着された前記側枠とで囲まれた左側開口部、及び、最も右の前記支柱と該支柱に取着された前記側枠とで囲まれた右側開口部が、それぞれ、有機ガラス製の側板で閉塞され、最も左の前記支柱に取着された前記側枠の左側面、及び、前記左側開口部を閉塞する前記側板の左側面は、正面視において、最も左の前記支柱の前面二分線に一致するか又は該前面二分線より右方に配置され、最も右の前記支柱に取着された前記側枠の右側面、及び、前記右側開口部を閉塞する前記側板の右側面は、正面視において、最も右の前記支柱の前面二分線に一致するか又は該前面二分線より左方に配置されていることを特徴とする。
【０００７】
ここで、請求項２記載のショーケースのように、前記引戸セットの前記各引戸体を閉鎖したときに前記引戸体同士が重なり合う部分の上下方向における中央部で該引戸体同士を互いに係止する係止手段が、設けられていることが好ましい。
【０００８】
また、請求項３記載のショーケースのように、前記引戸セットが備える複数の前記引戸体のうちの最も前側に配置される前記引戸体（以下、「前側引戸体」という。）が閉鎖時に当接する前記前柱の上下方向における中央部に、戸当り具が取着され、前記戸当り具は、前記前側引戸体の閉鎖時に前記前側引戸体の上下方向における中央部の前面が前記戸当り具に近接するように、構成されていることが好ましい。
【０００９】
また、請求項４記載のショーケースのように、前記各側板に、該側板の後端縁部から該側板と直角をなして前記ショーケースの内部方向に突出し、前記支柱の前記係合孔に取着される複数の突出片が、設けられ、前記各突出片が前記係合孔に取着されたときに前記突出片間に複数の前記係合孔が露出するように、前記突出片間に間隔が設けられていることが好ましい。
【００１０】
また、請求項５記載のショーケースのように、前記各前柱の前面に、棚板を取着するための複数の係合孔が上下方向に並設されていることが好ましい。
【００１１】
また、請求項６記載のショーケースのように、前記前柱の使用されない前記係合孔を覆う被覆手段が、取り外し可能に設けられていることが好ましい。
【００１２】
請求項７記載のショーケース用キットは、左右に間隔を置いて立設された複数の支柱と、隣り合う前記支柱間に配設された後壁部と、前記後壁部の前側に設けられたベース板部と、を備える什器本体であって、棚板を取着するための複数の係合孔を上下方向に並設した列が前記各支柱の前面に前面二分線を挟んで２列設けられている什器本体に、取着されるショーケースを組み立てるためのショーケース用キットであって、前記ベース板部上に立設される前柱と、前記前柱の上端部及び下端部から１つずつ後方に延設されて前記支柱に連結される２つの連結部材とを備えて、側面視において略コ字形状をなし、前記支柱の左半分と右半分とのいずれにも取着可能に構成されるとともに、１つの前記支柱の左半分と右半分とに並設可能に構成された偶数個の側枠と、隣り合う前記支柱のうちの左の前記支柱の右半分に取着された前記側枠の前記前柱の上端部と、該隣り合う前記支柱のうちの右の前記支柱の左半分に取着された前記側枠の前記前柱の上端部とを連結可能に構成された上レール部材と、隣り合う前記支柱のうちの左の前記支柱の右半分に取着された前記側枠の前記前柱の下端部と、該隣り合う前記支柱のうちの右の前記支柱の左半分に取着された前記側枠の前記前柱の下端部とを連結可能に構成された下レール部材と、有機ガラス製の板部を備えた複数の引戸体からなり、対向する前記上レール部材と前記下レール部材との間に配設される引戸セットと、隣り合う前記支柱間の後壁部と、該隣り合う前記支柱のうちの左の前記支柱の右半分に取着された前記側枠と、該隣り合う前記支柱のうちの右の前記支柱の左半分に取着された前記側枠と、前記側枠同士を連結する上レール部材とで囲まれた上方開口部を閉塞するように、前記側枠に取着可能に構成された天板と、前記支柱と該支柱に取着された前記側枠とで囲まれた開口部を閉塞するように、前記側枠に取着可能に構成された有機ガラス製の２枚の側板と、を備え、前記各側枠は、前記支柱の右半分に取着された場合には、正面視において、左側面が前記支柱の前面二分線に一致するか又は該前面二分線より右方に配置され、前記支柱の左半分に取着された場合には、正面視において、右側面が前記支柱の前面二分線に一致するか又は該前面二分線より左方に配置されるように構成され、前記各側板は、前記側板が取着された前記側枠が前記支柱の右半分に取着された場合には、正面視において、左側面が前記支柱の前面二分線に一致するか又は該前面二分線より右方に配置され、前記側板が取着された前記側枠が前記支柱の左半分に取着された場合には、正面視において、右側面が前記支柱の前面二分線に一致するか又は該前面二分線より左方に配置されるように構成されていることを特徴とする。
【発明の効果】
【００１３】
請求項１記載のショーケース及び請求項７記載のショーケース用キットにより組み立てられたショーケースは、各引戸体の板部及び各側板が有機ガラス製であるため、破損し難く、軽量である。このため、運搬時及び組立時の作業負担が軽減する。また、最も左の支柱に取着された側枠の左側面、及び、左側開口部を閉塞する側板の左側面が、正面視において、最も左の支柱の前面二分線に一致するか又はそれより右方に配置されることから、最も左の支柱の前面の左半分に設けられた係合孔は閉塞されない。このため、ショーケースの左に従来の棚板を並設可能である。同様に、最も右の支柱の前面の右半分に設けられた係合孔は閉塞されないため、ショーケースの右にも従来の棚板を並設可能である。
【００１４】
請求項２記載のショーケースは、引戸セットの閉鎖時に引戸体同士が重なり合う部分の上下方向における中央部で引戸体同士を互いに係止する係止手段が、設けられているので、各引戸体の板部が撓み易い有機ガラスで形成されていても、引戸体の最も撓み易い上下方向における中央部同士の間隙を拡大されてしまうことを防止でき、拡大された間隙から収納物を盗難されてしまうことを防止できる。
【００１５】
請求項３記載のショーケースは、前側引戸体が閉鎖時に当接する前柱に、戸当り具が取着され、前側引戸体は閉鎖時に上下方向における中央部の前面が戸当り具に近接するので、通常上下方向に長く設けられる戸当りを省略できて見た目が良く、また、前側引戸体の最も撓み易い上下方向における中央部が前方に撓められることを防止でき、そのように撓ませることにより形成された間隙から収納物を盗難されてしまうことを防止できる。
【００１６】
請求項４記載のショーケースは、各突出片が係合孔に取着されたときに突出片間に複数の係合孔が露出するように、各側板の突出片間に間隔が設けられているので、露出した係合孔を使用して、ショーケース内に棚板を取着できる。また、各突出片を係合孔に取着することにより、側板の後部の撓みを防止できる。
【００１７】
請求項５記載のショーケースは、各前柱の前面に複数の係合孔が上下方向に並設されているので、ショーケースの前方に棚板を取着できる。
【００１８】
請求項６記載のショーケースは、前柱前面の使用されない係合孔を覆う被覆手段が、取り外し可能に設けられているので、前柱前面にあって目立つ係合孔を隠すことができ、見た目が良い。
【発明を実施するための最良の形態】
【００１９】
以下、本発明の一実施形態を図面に基づいて説明する。図１は、什器本体１と什器本体１に取着されたショーケースＳ１の斜視図であり、図２は、引戸セット３を除くショーケースＳ１の分解斜視図、すなわち、ショーケースＳ１用のキットの引戸セット３を除く各部材の斜視図である（但し、什器本体１の斜視図を含む）。なお、図２において、各部材を連結するためのビスは、一部しか図示されていない。以下の説明においては、図１に矢印で示すように、什器本体１及びショーケースＳ１に向かって左を左、向かって右を右とする。
【００２０】
什器本体１は、左右に間隔を置いて互いに平行に立設された４本の支柱１１と、隣り合う支柱１１、１１間にそれぞれ配設された後壁部１３と、後壁部１３の前側に設けられたベース板部１２とを備えている。
【００２１】
各支柱１１は、スチール製で断面矩形状の角管状に形成されている。図３に示すように、各支柱１１の前面には、棚板を取着するための複数の係合孔１５を上下方向に並設した列が、支柱１１の前面二分線Ａを挟んで２列設けられている。支柱１１の左半分１１Ｌ、右半分１１Ｒとは、前面二分線Ａを通って支柱１１の側面に平行な面で支柱１１を二分したときの左半分、右半分をいう。
【００２２】
什器本体１は、３つのスチール製のベース台１６を備えており、各ベース台１６の両側部は、隣り合う支柱１１、１１の下部に取着されている。最も左のベース台１６の左側面、及び、最も右のベース台１６の右側面には、それぞれ、サイドカバー１４が取着されている。
【００２３】
そして、これら３つのベース台１６の上部の板状部により、ベース板部１２が形成されている。ベース板部１２は、上面が支柱１１の高さ方向に対して直交しており、換言すれば、各支柱１１は、ベース板部１２の上面に対して垂直に立設されている。
【００２４】
ショーケースＳ１用のキットは、６つの側枠２と、３つの引戸セット３と、２枚の側板４と、３枚の天板５と、３つの上レール部材６と、３つの下レール部材７と、３つの戸当り具８とを備えている。
【００２５】
各側枠２は、前柱２１と、前柱２１の上端部及び下端部から１つずつ後方に延設された２つの連結部材２２とからなり、側面視において略コ字形状をなしている。前柱２１と連結部材２２、２２とは、いずれもスチール製で断面矩形状の角管状に形成されている。各前柱２１の前面には、棚板を取着するための複数の係合孔２３が上下方向に並設されている。
【００２６】
各連結部材２２には、図２及び図４に示すように、連結片２４が、後端部の一側壁から後方に向かって突設されており、連結片２４、２４が支柱１１の左側面又は右側面にビス等で取着されることにより、連結部材２２、２２が支柱１１に連結されて、側枠２が支柱１１の左半分１１Ｌ又は右半分１１Ｒに取着される。すなわち、各側枠２は、左右を反転させることにより、支柱１１の左半分１１Ｌと右半分１１Ｒとのいずれにも取着可能である。
【００２７】
また、各側枠２は、図３及び図４に示すように、左右方向の幅Ｗ１が、支柱１１の左右方向の幅Ｗ２の半分に連結片２４の厚みを加えたものとされており、支柱１１の右半分１１Ｒに取着された場合には、正面視において、左側面が支柱１１の前面二分線Ａに一致し、左半分１１Ｌに取着された場合には、正面視において、右側面が支柱１１の前面二分線Ａに一致するように構成されている。すなわち、各側枠２は、右半分１１Ｒに取着されたときは左半分１１Ｌにはみ出ず、左半分１１Ｌに取着されたときは右半分１１Ｒにはみ出ない。このため、側枠２は、１つの支柱１１の左半分１１Ｌと右半分１１Ｒとに並設可能である。
【００２８】
側枠２は２つずつ対にされて、一対の側枠２、２のうち、一方の側枠２は、隣り合う支柱１１、１１のうちの左の支柱１１の右半分１１Ｒに、他方の側枠２は、同隣り合う支柱１１、１１のうちの右の支柱１１の左半分１１Ｌに取着される。以下、区別が必要なときは、隣り合う支柱１１、１１に取着された一対の側枠２、２のうち、左の支柱１１の右半分１１Ｒに取着された側枠２を左側側枠２ａ、右の支柱１１の左半分１１Ｌに取着された側枠２を右側側枠２ｂと表記する。
【００２９】
各引戸セット３は、図５に示すように、透明の有機ガラス製の板部３７を備えた２枚の引戸体３１から構成されている。有機ガラスとは、無機ガラスの代用にされる合成樹脂を言い（岩波理化学辞典（第５版）参照）、ポリメタクリル酸メチル等のアクリル樹脂、ポリスチレン、ポリ塩化ビニル、ポリエステル、ポリプロピレン、ポリカーボネート等がある。本実施形態ではアクリル樹脂を用いる。
【００３０】
各引戸体３１は、板部３７の左右両側部に取着されたアルミ製の縦枠３３、３３と、板部３７の下端部に取着されたアルミ製の下部横枠３２とを備えており、ショーケースＳ１を組み立てたときに前側となる引戸体３１（以下、「前側引戸体３１ｂ」とも表記する。）の下部横枠３２には、錠３４が取着されている。また、各引戸体３１の板部３７には、把手の代わりに指を掛けるための孔３５が２つずつ穿設されている。なお、ショーケースＳ１を組み立てたときに後側となる引戸体３１を、以下、後側引戸体３１ａとも表記する。錠３４は、施錠時に前側引戸体３１ｂの下部を後側引戸体３１ａの下部に押し付けて、前側引戸体３１ｂ及び後側引戸体３１ａが動かないようにするプッシュ錠である。
【００３１】
また、各引戸セット３は、各引戸体３１を閉鎖したときに、後側引戸体３１ａの右側部と前側引戸体３１ｂの左側部とが重なり合うように構成され、その重なり合う部分の上下方向における中央部で引戸体３１同士を互いに係止する係止手段として、有機ガラス製（本実施形態ではアクリル樹脂製）の係止具３６、３６を備えている。一方の係止具３６は、前側引戸体３１ｂの左側端部の、上下方向における中央部に固着され、他方の係止具３６は、後側引戸体３１ａの右側端部の、上下方向における中央部に固着されている。
【００３２】
各係止具３６は、図６及び図７に示すように、引戸体３１の側端部の角部に沿うように略Ｌ字形状をなす取着部３６ａと、取着部３６ａの先端部から略Ｌ字形状をなして突出する突出部３６ｂとを備えて、横断面が階段状をなしている。そして、各係止具３６は、取着部３６ａが、間に縦枠３３を挟んだ状態で引戸体３１の板部３７にビス止めにより取着され、突出部３６ｂが、その係止具３６が取着された引戸体３１との間に間隙を形成するように、縦枠３３から突設されている。そして、前側引戸体３１ｂ及び後側引戸体３１ａを閉鎖したときに、一方の係止具３６の突出部３６ｂと前側引戸体３１ｂとの間の間隙に、他方の係止具３６の突出部３６ｂの先端部が入り込むとともに、他方の係止具３６の突出部３６ｂと後側引戸体３１ａとの間の間隙に、一方の係止具３６の突出部３６ｂの先端部が入り込むことにより、係止具３６、３６が互いに係合され、これにより、前側引戸体３１ｂと後側引戸体３１ａとが、重なり合う部分の上下方向における中央部で互いに係止されて、前側引戸体３１ｂと後側引戸体３１ａとが重なり合う部分の間隙の拡大が防止される。
【００３３】
戸当り具８は、有機ガラス製（本実施形態ではアクリル樹脂製）であり、図８（ａ）に示すように、前柱２１の係合孔２３に挿入される挿入部８１と、挿入部８１の先端部から挿入部８１に対し直角をなして突出する当接部８２とからなり、挿入部８１の基端部は当接部８２と同じ側に直角に曲折されている。また、各戸当り具８は、挿入部８１を係合孔２３に挿入できるように、挿入部８１の上下方向の長さが、係合孔２３の上下方向の長さと同じかそれより若干短くされている。そして、当接部８２の上下方向の長さは、挿入部８１の上下方向の長さと同じとされているが、それより長いものであってもよい。但し、挿入部８１が挿入された係合孔２３の上下の係合孔２３が当接部８２により閉塞されないようにするためには、それら上下の係合孔２３間の距離Ｗ５（図８（ｂ）参照）よりも当接部８２の上下方向の長さが短いことが好ましい。
【００３４】
各側板４は、透明の有機ガラス製であり、本実施形態ではアクリル樹脂製である。各側板４は、矩形板状であり、詳しくは、側面視において、支柱１１とその支柱１１に取着された側枠２とで囲まれることにより形成される矩形状の開口部と同形の矩形状をなしている。また、各側板４には、その後端縁部から側板４と直角をなしてショーケースＳ１の内部方向に突出する複数（ここでは、４つ）の突出片４２が設けられ、また、側面視においてコ字形状をなすように、側板４の上端縁部、前端縁部、及び、下端縁部に沿ってショーケースＳ１の内部方向に突出する突縁部４３が、設けられている。これらの突出片４２及び突縁部４３もアクリル樹脂製である。
【００３５】
また、図９に示すように、各側板４の板厚Ｗ３は、支柱１１の前面二分線Ａから係合孔１５までの左右方向における距離Ｗ４よりも薄くされる。本実施形態では、距離Ｗ４が５mmであるので、板厚Ｗ３は２mmとされる。側板４は、有機ガラス製で破損し難いことから、このように、板厚を薄くすることができる。
【００３６】
各突出片４２には後方に突出するピン４４が設けられており、ピン４４が支柱１１の係合孔１５に挿入されることにより、各突出片４２は係合孔１５に取着される。各側板４から突設された突出片４２、４２間には、各突出片４２が係合孔１５に取着されたときに突出片４２、４２間に複数の係合孔１５が露出するように、間隔が設けられている。突縁部４３の前端部には、ビスが挿通される複数の孔が穿設されている。
【００３７】
各側板４は、突縁部４３の孔と前柱２１の後壁部に穿設された孔とを合わせてビス止めすることにより、側枠２に取着され、その状態で側枠２を支柱１１に取着することにより、側枠２と支柱１１とで囲まれた開口部を閉塞する。このとき、各ピン４４は、係合孔１５に挿入されて、側板４の撓みを防止する。
【００３８】
そして、各側板４は、支柱１１の右半分１１Ｒに取着された場合（すなわち、その側板４が取着された側枠２が右半分１１Ｒに取着された場合）には、正面視において、左側面が支柱１１の前面二分線Ａに一致し、左半分１１Ｌに取着された場合（すなわち、その側板４が取着された側枠２が左半分１１Ｌに取着された場合）には、正面視において、右側面が支柱１１の前面二分線Ａに一致するように構成されている。すなわち、各側板４は、その側板４が取着された側枠２が右半分１１Ｒに取着された場合には、左側面がその側枠２の左側面と面一をなし、その側板４が取着された側枠２が左半分１１Ｌに取着された場合には、右側面がその側枠２の右側面と面一をなす。
【００３９】
各下レール部材７は、スチール製で、左側側枠２ａの前柱２１と、その左側側枠２ａと対になる右側側枠２ｂの前柱２１とを連結可能な長さを有し、引戸体３１を嵌合して摺動させることが可能な２つの溝部が上部に形成されている。
【００４０】
各上レール部材６は、スチール製で、左側側枠２の前柱２１と、その左側側枠２ａと対になる右側側枠２の前柱２１とを連結可能な長さを有し、引戸体３１を嵌合して摺動させることが可能な２つの溝部が下部に形成されている。
【００４１】
各天板５は、有機ガラス製（本実施形態ではアクリル樹脂製）で、隣り合う支柱１１、１１間に配設された後壁部１３と、それら隣り合う支柱１１、１１のうちの左の支柱１１に取着された左側側枠２ａの上部の連結部材２２と、その左側側枠２ａと対になる右側側枠２ｂの上部の連結部材２２と、それらの側枠２の前柱２１同士を連結する上レール部材６とで囲まれた上方開口部を閉塞可能に構成されている。
【００４２】
以上のように構成されたショーケースＳ１用のキットを用いてショーケースＳ１を組み立てる場合には、図２に示すように、各下レール部材７をベース板部１２上の所定位置にビスで取着し、対になる側枠２、２の前柱２１、２１の下端部同士を連結するように、各下レール部材７の両端部にそれぞれ側枠２の前柱２１を立設する。そして、最も左の支柱１１には、右半分１１Ｒに側枠２を１つ取着し、最も右の支柱１１には、左半分１１Ｌに側枠２を１つ取着し、最も左の支柱１１と最も右の支柱１１との間の支柱１１には、左半分１１Ｌと右半分１１Ｒとにそれぞれ側枠２を取着する。なお、各下レール部材７の取着位置は、側枠２がこのように支柱１１に取着可能な位置とする。
【００４３】
また、最も左の支柱１１に側枠２を取着するときは、その側枠２には、予め側板４を突出片４２が右方（組立てた状態では、ショーケースＳ１の内部方向に相当。）に突出するように取着しておき、ピン４４を係合孔１５に挿入しつつ、側枠２を支柱１１に取着する。最も右の支柱１１に側枠２を取着するときは、その側枠２には、予め側板４を突出片４２が左方（組立てた状態では、ショーケースＳ１の内部方向に相当。）に突出するように取着しておき、ピン４４を係合孔１５に挿入しつつ、側枠２を支柱１１に取着する。
【００４４】
そして、左側側枠２ａの前柱２１の上端部に、上レール部材６の左側端部を、その左側側枠２ａと対になる右側側枠２ｂの前柱２１の上端部に、その上レール部材６の右側端部を、それぞれビスで取着することにより、対になる側枠２、２の前柱２１、２１の上端部同士を上レール部材６で連結し、各下レール部材７と対向するように各上レール部材６を配設する。
【００４５】
さらに、左側側枠２ａの上部の連結部材２２に、天板５の左側部を、その左側側枠２ａと対になる右側側枠２ｂの上部の連結部材２２に、その天板５の右側部を、それぞれビスで取着することにより、各天板５で各上方開口部を閉塞する。
【００４６】
そして、各引戸セット３の後側引戸体３１ａの上端部を上レール部材６の後側の溝部に、下端部を下レール部材７の後側の溝部に嵌合し、前側引き戸体３１ｂの上端部を上レール部材６の前側の溝部に、下端部を下レール部材７の前側の溝部に嵌合することにより、各引戸セット３を、互いに対向する上レール部材６と下レール部材７との間であって、対になる側枠２、２の前柱２１、２１間に、配設する。なお、各引戸体３１には、上述したように係止具３６を取着しておく。
【００４７】
また、前側引戸体３１ｂが閉鎖時に当接する各前柱２１（本実施形態では、各右側側枠２ｂの前柱２１）の上下方向における中央部には、それぞれ、戸当り具８を取着する。詳しくは、かかる前柱２１の上下方向における中央部の係合孔２３に、戸当り具８の挿入部８１を挿入し、当接部８２が係合孔２３から露出する状態で、その戸当り具８を前柱２１にビス止めする。すると、図１及び図８（ｂ）に示すように、当接部８２の先端部は、前側引戸体３１ｂの閉鎖時に前側引戸体３１ｂの上下方向における中央部の前面に近接するように、配置される。
【００４８】
以上のようにして、図１のようなショーケースＳ１が組立てられ、ショーケースＳ１の内部が収納室となる。各側板４から突設された突出片４２、４２間には、各突出片４２が係合孔１５に取着されたときに突出片４２、４２間に複数の係合孔１５が露出するように、間隔が設けられているので、露出した係合孔１５を利用して、ショーケースＳ１の内部には、図１０に示すように棚板９が取着できる。また、各前柱２１の係合孔２３を利用して、ショーケースＳ１の前面にも、図１０に示すように棚板１０が取着できる。
【００４９】
なお、図１１に示すように、各前柱２１の使用されない係合孔２３を覆う被覆手段を、取り外し可能に設けてもよい。図１１の例では、被覆手段としてプラスチック磁石製のテープ２６を用いており、テープ２６は、鋏等で任意の長さに切断可能であって、磁力によりスチール製の前柱２１に取り外し可能に取着される。このように、使用しない係合孔２３を被覆すれば、前柱２１前面にあって目立つ係合孔２３を隠すことができ、見た目が良い。また、テープ２６を取外し可能とすれば、棚１０の位置を変更した場合等に、テープ２６の取着位置を変更できる。かかる被覆手段としては、テープ２６の他に、複数回着脱可能な粘着力を有する粘着テープ等がある。なお、テープ２６等のテープの場合には、被覆したい部分の長さに応じた長さにできるように、鋏等で切断可能であることが望ましい。
【００５０】
ショーケースＳ１は、各引戸体３１及び各側板４が有機ガラス製であるため、破損し難く、軽量である。このため、運搬時及び組立時の作業負担が軽減し、引戸体３１のレベル調整も容易である。また、最も左の支柱１１に取着された側枠２の左側面、及び、その側枠２に取着された側板４の左側面が、正面視において、最も左の支柱１１の前面二分線Ａに一致することから、最も左の支柱１１の前面の左半分に設けられた係合孔１５は閉塞されない。このため、ショーケースＳ１の左に従来の棚板を並設可能である。同様に、最も右の支柱１１の前面の右半分に設けられた係合孔１５は閉塞されないため、ショーケースＳ１の右にも従来の棚板を並設可能である。なお、従来の棚板を並設した実施形態については、図１２に基づいて後述する。
【００５１】
また、ショーケースＳ１は、引戸セット３の引戸体３１、３１を閉鎖したときに、係止具３６、３６により、引戸体３１同士がそれらの重なり合う部分の上下方向における中央部で互いに係止されるので、各引戸体３１が撓み易い有機ガラスで形成されていても、引戸体３１の最も撓み易い上下方向における中央部同士の間隙を広げられてしまうことを防止でき、かかる間隙から収納物を盗難されてしまうことを防止できる。
【００５２】
また、ショーケースＳ１は、前柱２１の上端部から下端部まで上下方向に長く設けられる従来の戸当りの代りに、上下方向の長さが短小な戸当り具８を用いているので、見た目が良い。また、前側引戸体３１ｂの閉鎖時に、前側引戸体３１ｂの上下方向における中央部の前面が、戸当り具８に近接しているので、前側引戸体３１ｂの閉鎖時に、前側引戸体３１ｂの上下方向における中央部を前方に引っ張っても、戸当り具８に当接して前方への撓みが防止されることとなる。このため、前側引戸体３１ｂの最も撓み易い上下方向における中央部を前方に撓ませることにより間隙が作られて、かかる間隙から収納物を盗難されてしまうことを防止できる。
【００５３】
図１２は、什器本体１の両側部に、本発明の他の実施形態であるショーケースＳ２をそれぞれ設け、什器本体１の中央部に、上記特許文献１に記載されているような従来の棚板１７を設けた例である。ショーケースＳ１の各構成要素と同じ構成要素には同じ符号を用いて説明すると、各ショーケースＳ２は、２つの側枠２と、１つの引戸セット３と、２枚の側板４と、１枚の天板５と、１つの上レール部材６と、１つの下レール部材７と、１つの戸当り具８とを備えたキットから組立てられたものである。ショーケースＳ２、Ｓ２間には、複数の棚板１７が設けられている。各ショーケースＳ２は、そのショーケースＳ２が取着されている支柱１１、１１のうちの右の支柱１１の前面の右半分に設けられた係合孔１５、及び、左の支柱１１の前面の左半分に設けられた係合孔１５を閉塞しないため、このように、棚板１７をショーケースＳ２の左右に並設することができる。
【００５４】
なお、棚板１７を取り外して、もう１つのショーケースＳ２を配設することも可能であり、そうすれば、見た目は図１と同様であるが、ショーケースＳ２が３つ並設されているので、収納室は３つとなる。
【００５５】
なお、各側枠２は、例えば左右方向の幅Ｗ１を本実施形態におけるものより狭くすることにより、支柱１１の右半分１１Ｒに取着された場合には、正面視において、左側面が支柱１１の前面二分線Ａより右方に配置され、左半分１１Ｌに取着された場合には、正面視において、右側面が支柱１１の前面二分線Ａより左方に配置されるように構成してもよい。
【００５６】
また、各側板４も、例えば側板４の板厚Ｗ３を本実施形態におけるものより薄くすることにより、その側板４が取着された側枠２が支柱１１の右半分１１Ｒに取着された場合には、正面視において、左側面が支柱１１の前面二分線Ａより右方に配置され、その側板４が取着された側枠２が左半分１１Ｌに取着された場合には、正面視において、右側面が支柱１１の前面二分線Ａより左方に配置されるように構成してもよい。
【００５７】
また、各引戸セット３を構成する引戸体３１の数は、２つに限らず、３つ以上であってよい。
【００５８】
また、各係止具３６は、例えば縦枠３３の係止具３６の配設部位に相当する部位を切り欠くことにより、縦枠３３を間に挟まずに引戸体３１の板部３７に直接固着してもよい。
【００５９】
また、引戸体３１及び側板４をアクリル樹脂以外の有機ガラス製としてもよく、側板４は不透明としてもよい。また、天板５は金属製でもよく、係止具３６や戸当り具８の材質も変更可能である。但し、天板５を有機ガラス製とすればショーケースＳ１、Ｓ２の一層の軽量化が図れ、係止具３６や戸当り具８を、透明の有機ガラス製とすれば、それらが目立たないため、意匠性に優れたショーケースＳ１、Ｓ２となる。
【００６０】
また、ピン４４の代りに各突出片４２をビス等で係合孔１５に取着してもよい。
【００６１】
すなわち、特許請求の範囲を逸脱しない範囲で、本発明は種々の構成を採り得る。
【図面の簡単な説明】
【００６２】
【図１】本発明の一実施形態に係る什器本体とその什器本体に取着されたショーケースの斜視図である。
【図２】図１においてショーケースを分解したときの引戸セットを除く斜視図であり、本発明の一実施形態に係るショーケース用キットの引戸セットを除く各部材の斜視図を含む。
【図３】什器本体及びショーケースの要部正面図である。
【図４】図１の支柱とその支柱の右半分に取着された側枠のＡ−Ａ線端面図である。
【図５】引戸セットを構成する引戸体の斜視図である。
【図６】引戸体の要部斜視図である。
【図７】引戸体同士が重なり合う部分の要部横断面図である。
【図８】（ａ）は戸当り具の斜視図、（ｂ）は戸当り具が取着された部位の拡大図である。
【図９】図１の支柱とその支柱の右半分に取着された側枠とその側枠に取着された側板のＢ−Ｂ線端面図である。
【図１０】本実施形態のショーケースの内部及び前側に棚板を取着した状態の要部側面図である。
【図１１】側枠の使用しない係合孔をテープで被覆した状態の要部斜視図である。
【図１２】本発明の他の実施形態に係る什器本体とその什器本体に取着されたショーケースの斜視図である。
【符号の説明】
【００６３】
１…什器本体
２…側枠
３…引戸セット
４…側板
５…天板
６…上レール部材
７…下レール部材
８…戸当り具
９、１０…棚板
１１…支柱
１２…ベース板部
１３…後壁部
１５…係合孔
２１…前柱
２２…連結部材
２３…係合孔
２６…テープ（被覆手段）
３１…引戸体
３６…係止具（係止手段）
３７…板部
４２…突出片
Ｓ１、Ｓ２…ショーケース
【図１】
2008149012.tif 000003
【図２】
2008149012.tif 000004
【図３】
2008149012.tif 000005
【図４】
2008149012.tif 000006
【図５】
2008149012.tif 000007
【図６】
2008149012.tif 000008
【図７】
2008149012.tif 000009
【図８】
2008149012.tif 000010
【図９】
2008149012.tif 000011
【図１０】
2008149012.tif 000012
【図１１】
2008149012.tif 000013
【図１２】
2008149012.tif 000014